(57)【要約】【課題】屈曲性を改善させて、捕球動作が良好で且つ軽快なグラブさばきが可能な野球用又はソフトボール用グラブを提供する。【解決手段】選手の親指、人差指、中指、薬指、小指をそれぞれ受け入れる親指袋、人差指袋、中指袋、薬指袋、小指袋を備え、前記親指袋の掌面側基端部において第２関節部に沿って挿通孔を設け、前記挿通孔にヒモ材を挿通させる。これにより、第２関節部に沿って親指袋を曲げやすくなり、より親指を動かしやすくなる。また、前記中指袋の甲面側基端部と前記薬指袋の甲面側基端部との間に、前記基端部間の間隔を拡げる指又を設ける。これにより、薬指袋、小指袋を掌面内側に強く曲げやすくなる。【選択図】  図１
2008125931.tif 000002
【特許請求の範囲】
【請求項１】
５本の指に対応する指袋を備える野球用又はソフトボール用グラブにおいて、
親指袋の掌面側基端部において使用者の第２関節部に対応する位置に沿って挿通孔が設けられ、
前記挿通孔にヒモ材が挿通された
ことを特徴とする野球用又はソフトボール用グラブ
【請求項２】
中指袋の甲面側基端部と薬指袋の甲面側基端部との間に、前記両基端部の間隔を拡げる指又を設けた
請求項１記載の野球用又はソフトボール用グラブ。
【請求項３】
指袋先端部にて指袋間を連結する先端ヒモを、人差指袋と中指袋間、薬指袋と小指袋間では、甲面側から甲面側及び／又は掌面側から掌面側に掛け渡して締結し、中指袋と薬指袋間にでは、甲面側から掌面側及び／又は掌面側から甲面側に回して締結することによって、中指袋先端部と薬指袋先端部との間隔を、人差指袋先端部と中指袋先端部との間隔、及び薬指袋先端部と小指袋先端部との間隔よりも広く形成した
請求項１又は２記載の野球用又はソフトボール用グラブ。
【発明の詳細な説明】
【技術分野】
【０００１】
本発明は、野球用又はソフトボール用グラブに関する。
【背景技術】
【０００２】
野球用グラブは、強い打球に対してもしっかりと捕球することができるだけの強度を持ち合わせていなければならない。このため従来のグラブは、打球を捕球した際の衝撃にも耐え得る強度を保持するよう様々な工夫がなされている。
【０００３】
図４は、従来のグラブ４０を掌面側、すなわち捕球面側から見た図である。図５は、従来のグラブ４０を甲面側から見た図である。
【０００４】
図４に示すように、親指袋４１の内側には、親指袋４１と略同一大の芯材４６が内装される。芯材４６を設けることで、親指袋４１を補強し、かつグラブの型くずれを防止することができる。この芯材４６は、親指袋４１の長手方向に沿って挿通した皮ヒモ４７にてグラブ本体に取り付けられる。このように、皮ヒモ４７によって芯材４６をグラブ本体に内装させることで、親指袋４１の強度を高めている。
【０００５】
また、図５に示すように、人差指袋４２の付け根部分４２ａと中指袋４３の付け根部分４３ａとの付け根部分間には、該付け根部分間を拡げる指又４８が形成されている（特許文献１）。前記指又４８は、以下の強度上の観点から設けられる。すなわち、人差指袋４２や中指袋４３付近でボールを捕球することが多く、捕球した際の衝撃は甲面側まで伝わる。その結果、甲面側の人差指袋４２と中指袋４３の境目で亀裂が生じて破れる場合がある。前記指又４８は、人差指袋４２の付け根部分４２ａと中指袋４３の付け根部分４３ａとの間を補強し、付け根部分４３ａを破れにくくするものである。
【０００６】
以上のように、様々な方法により野球用グラブは十分な強度を保持している。
【０００７】
ところで、野球用グラブ４０は、上述したような強度とともに、機能上の観点から屈曲性に優れている方が好ましい。すなわち、野球用グラブ４０でボールを捕球するとき、親指袋４１を他の４本の指袋（人差指袋４２、中指袋４３、薬指袋４４、小指袋４５）に対して折り曲げるようにして捕球する。ボールをしっかりと掴むためには、特に親指と人差し指に力を入れ、グラブでボールを挟み込むように捕球する。このため、特に親指袋４１の付け根部４１ａ（親指の第２関節部に相当する箇所）付近は、曲げやすいように構成されているのが望ましい。
【０００８】
また、親指袋４１だけでなく、薬指袋４４、小指袋４５も掌面内側に向かって折り曲げやすいように構成されるのが好ましい。薬指や小指は力が入りにくく、より屈曲性の向上が期待される。これにより強い回転がかかった打球であっても、ボールを包み込むようにして捕球することで、ボールの回転を止めることができる。
【特許文献１】特開昭５５−７８９６９号公報
【発明の開示】
【発明が解決しようとする課題】
【０００９】
ところが、図４、図５に示すような従来のグラブは、強度は保持しているものの、屈曲性という観点からは十分でなかった。例えば、親指袋に挿通された皮ヒモや、人差指袋と中指袋の間の指又は、グラブの屈曲性とは無関係であった。
【００１０】
そこで、手の動きに沿って屈曲することで、より早く且つ正確に捕球することができるよう屈曲性に優れたグラブの要請が高まっていた。
【００１１】
本発明はこのような問題点に鑑みてなされたものであり、親指袋の屈曲性を向上させ、さらに小指袋と薬指袋の屈曲性を向上させることで、親指袋、人差し指袋及び中指袋、薬指袋及び小指袋の３方向からボールを正確に捕球できる野球用又はソフトボール用グラブを提供することを目的とする。
【課題を解決するための手段】
【００１２】
以上の目的を達成するために、本発明では、以下のような手段を採用している。
本発明の野球用グラブは、選手の親指、人差指、中指、薬指、小指をそれぞれ受け入れる親指袋、人差指袋、中指袋、薬指袋、小指袋を備える。
【００１３】
そして、野球用又はソフトボール用グラブは、前記親指袋の掌面側基端部において第２関節部に沿って挿通孔が設けられ、前記挿通孔にヒモ材が挿通される。
【００１４】
このヒモ材に沿って、すなわち第２関節部に沿って親指袋の屈曲性が向上する。これにより選手の親指の動きに応じて自然に曲がり、その結果、軽快な捕球動作が可能となる。
【００１５】
また、前記中指袋基端部と前記薬指袋基端部との甲面側基端部間に、該基端部間の間隔を拡げる指又を設けてもよい。この指又により該基端部間の間隔が拡がることで、薬指袋を中指袋に対して折り曲げやすくなる。したがって、上記親指の屈曲性向上と効果が相合わさって、グラブ全体の屈曲性を一段と高める。すなわち、ボールを親指袋（第１方向）、人差指袋及び中指袋（第２方向）、薬指袋及び小指袋（第３方向）の３方向から包み込むように捕球することで、ボールの回転を確実に止め、次の動作へ素早く移ることができる。
【００１６】
さらに、指袋先端部にて指袋間を連結する先端ヒモを、人差指袋と中指袋間、薬指袋と小指袋間では、甲面側から甲面側及び／又は掌面側から掌面側に掛け渡して連結し、中指袋と薬指袋間にでは、甲面側から掌面側及び／又は掌面側から甲面側に回して連結することによって、中指袋先端部と薬指袋先端部との間隔を、人差指袋先端部と中指袋先端部との間隔、及び薬指袋先端部と小指袋先端部との間隔よりも広く形成しても良い。これにより、中指袋と薬指袋との間の屈曲性を増し、上記指又による屈曲性の向上とともに、着用した際のグラムの掴みやすさを改善させることができる。
【発明の効果】
【００１７】
以上のように、本発明によれば、屈曲性を改善させて、捕球動作が良好で且つ軽快なグラブさばきが可能な野球用又はソフトボール用グラブを提供することができる。
【発明を実施するための最良の形態】
【００１８】
以下、本発明を実施するための最良の形態について、図面を参照しながら詳細に説明する。
【００１９】
図1は、本実施形態における野球用グラブの捕球面側（掌側）を示す図である。
【００２０】
野球用グラブ１は、装着した際に選手の掌に位置する掌部２と、選手の指を受け入れる指部３とを備える。指部３は、親指を受け入れる親指袋４と、人差し指を受け入れる人差指袋５と、中指を受け入れる中指袋６と、薬指を受け入れる薬指袋７と、小指を受け入れる小指袋８とで構成される。また、野球用グラブは、親指袋４と人差指袋５との間に張設されるウェブ部９を備える。
【００２１】
隣接する指袋４、５、６、７、８は、指袋先端において１本の先端ヒモ１０が挿通することで締結される。先端ヒモ１０は、親指袋４の先端部を挿通し、ウェブ部９の先端にらせん状に巻着し、さらに人差指袋５から小指袋８に向かって挿通する。この先端ヒモ１０は、後述する締結方法にて、指袋先端部間の間隔を調整する。本実施形態においては、中指袋６先端部と薬指袋７先端部との間隔は、人差指５袋先端部と中指袋６先端部との間隔、及び薬指袋７先端部と小指袋８先端部との間隔よりも広く形成される。
【００２２】
野球用グラブ１は、親指袋４及び小指袋８に内装される芯材１１を備える。前記芯材１１は、親指袋４又は小指袋８を補強し、かつグラブの型くずれを防止する矩形状（又は帯状）の補強材である。親指袋４の芯材１１は、特に限定はしないが、少なくとも親指袋４のほぼ全域に渡る大きさである。本実施形態の芯材１１は、一端部は親指袋４先端まで達し、他端部は手首に近接する箇所まで達している。
【００２３】
親指袋４には、長手方向に貫通孔１２が複数形成されている。また芯材１１にも、前記親指袋４に内装した状態で親指袋４の貫通孔１２と合致する位置に貫通孔が形成されている。親指袋４の貫通孔１２と芯材１１の貫通孔とに固定ヒモ１３を挿通することで前記芯材１１は親指袋４内に固定される。
【００２４】
また、親指袋４の基端部４ａ（すなわち、付け根部分）には、親指の第２関節に相当する位置に沿って、屈曲ヒモ１４を挿通するための挿通孔１５が形成されている。この屈曲ヒモ１４は、前記固定ヒモ１３と略直交する方向に沿って挿通される。
【００２５】
この屈曲ヒモ１４に沿って親指袋４の屈曲性は向上するため、選手が親指の第２関節においてより自然に内側に折り曲げることができる。特に捕球時に選手が親指にかける力は大きいので、親指袋４の屈曲性を高めることでより親指袋４が曲がりやすくなり、親指にかける負担は小さくなる。その結果、選手の親指の動きに従い親指袋４も自然に曲がり、選手は軽快なグラブさばきをすることができる。
【００２６】
図２は、本実施形態における野球用グラブの甲側を示す図である。
中指袋６の基端部６ａ（すなわち、付け根部分）と、薬指袋７の基端部７ａ（付け根部分）との基端部間には、該基端部を広く形成する指又１６が設けられている。指又１６は指袋の長手方向に沿って設けられ、その幅は例えば１ｃｍ程度である。
【００２７】
この指又１６により、中指袋基端部６ａと薬指袋基端部７ａとの間隔が、他の指袋基端部間（人差指袋基端部５ａと中指袋基端部６ａとの基端部間、薬指袋基端部７ａと小指袋基端部８ａ間）と比較すると広く形成される。
【００２８】
通常、中指袋６と薬指袋７との間を折り曲げようとする際、甲面側において中指袋６や薬指袋７の基端部６ａ、７ａが突っ張る状態になり、選手の手の動きに応じて自然に折り曲げることができなかった。これに対して、本実施形態では指又１６の幅だけ余裕ができるため、中指袋６と薬指袋７との間はスムーズに折れ曲がる。この結果、上記親指袋４とともに屈曲性向上の効果を強め合い、打球を包み込むようにして確実に捕球することができる。すなわち、親指袋４（第１方向）、人差指袋５及び中指袋６（第２方向）、薬指袋７及び小指袋８（第３方向）の３方向から力を強く加えることで、打球の回転を確実に止める事ができる。
【００２９】
なお、グラブ１の掌面側において、中指袋６や薬指袋７の基端部付近で捕球することもあり、その際の衝撃は甲面側にまで達し、中指袋６と薬指袋７との境目で亀裂が生じて破れる場合がある。本実施形態の指又１６は、中指袋６や薬指袋７の基端部６ａ、７ａ付近にまで達するが、指又１６を形成することで、捕球の際の衝撃を押さえグラブ１の強度を高めるという効果も有する。
【００３０】
図３は、先端ヒモ１０による指袋先端部の締結方法を示す図である。
【００３１】
各指袋先端部４ｂ、５ｂ、６ｂ、７ｂ、８ｂには、隣接する各指袋寄りに原則上下一対の挿通孔が形成される。例えば図３においては、人差指袋５には３つの挿通孔５１、５２、５３が形成され、中指袋６には４つの挿通孔６１、６２、６３、６４が形成され、薬指袋７には４つの挿通孔７１、７２、７３、７４が形成され、小指袋８には２つの挿通孔８１、８２が形成される。前記挿通孔に１本の先端ヒモ１０が挿通されることで、隣接する指袋は締結される。先端ヒモ１０は、親指袋４の先端部４ｂを挿通し、ウェブ部９の先端にらせん状に巻着し、さらに人差指袋５先端部５ｂから小指袋８先端部８ｂに向かって挿通する。
【００３２】
ここで、先端ヒモ１０は一本からなるため、例えば中指袋先端部６ｂと薬指袋先端部７ｂとの間隔のみを、他の指袋先端部間（すなわち、人差指袋先端部５ｂと中指袋先端部６ｂとの先端部間、薬指袋先端部７ｂと小指袋先端部８ｂ間）より大きくすることはできなかった。本実施形態では以下に示す締結方法により、中指袋先端部６ｂと薬指袋先端部７ｂとの間隔のみが大きく形成される。
【００３３】
まず、人差指袋５と中指袋６との締結方法について説明する。この締結方法は、従来の締結方法と同様、甲面側から甲面側及び／又は掌面側から掌面側にクロス状に掛け渡して締結される。すなわち、人差指袋５の上挿通孔５１掌面側から表出した先端ヒモ１０は、中指袋６の下挿通孔６２掌面側へと掛け渡渡され、そのまま掌面側から甲面側へ貫通する。これが１重目の締結に該当する。そして、中指袋６の下挿通孔６２甲面側から表出した先端ヒモ１０は人差指袋５の下挿通孔５２甲面側に折り返され、そのまま人差指袋の甲面側から掌面側へ貫通する。これが２重目の締結に該当する。続いて、人差指袋５の下挿通孔５２掌面側から表出した先端ヒモ１０は、中指袋６の上挿通孔６１掌面側へと渡されるとともに、中指袋６の掌面側から甲面側へ貫通する。これが３重目の締結に該当する。そして、中指袋の上挿通孔６１甲面側から表出した先端ヒモ１０は、中指袋６の下挿通孔６３甲面側に渡されるとともに、甲面側から掌面側に貫通する。
【００３４】
以上のようにして、人差指袋５と中指袋６は掌面側において交差して締結される。先端ヒモ１０を適度な強さで締結することによって、人差指袋先端部５ｂと中指袋先端部６ｂとの間隔を調整することができる。本実施形態では、強固に締結することで人差指袋先端部５ｂと中指袋先端部６ｂとの間隔を狭くして、人差指袋５と中指袋６とを先端部において結束させている。これにより、打球の衝撃に耐えうる強度を保持する。
【００３５】
次に、中指袋６と薬指袋７との締結方法について説明する。この締結方法は、甲面側から掌面側及び／又は掌面側から甲面側に回して締結される。すなわち、中指袋６の上挿通孔６３掌面側から表出した先端ヒモ１０は、上述と異なり、薬指袋７の下挿通孔７２甲面側へと渡されるとともに、そのまま甲面側から掌面側へ貫通する。これが１重目の締結に該当する。そして、薬指袋７掌面側から表出した先端ヒモ１０は中指袋６の下挿通孔６４甲面側に折り返され、中指袋６の甲面側から掌面側へ貫通する。これが２重目の締結に該当する。続いて、再び中指袋６の下挿通孔６４掌面側から表出した先端ヒモ１０は、薬指袋７の上挿通孔７１掌面側へと渡されるとともに、薬指袋７を掌面側から甲側面へ貫通する。これが３重目の締結に該当する。なお、この３重目の締結は、前記１重目及び前記２重目の締結の先端ヒモ１０の下をくぐって締結される。
【００３６】
ここで、先端ヒモ１０を強固に締結する程、中指袋６と薬指袋７との間隔は狭くなり両者は結束して一体化する。これに対して、本実施形態では前述の人差指袋５と中指袋６との締結よりも緩く締結する。これにより、中指袋先端部６ｂと薬指袋先端部７ｂとの間隔は、人差指袋先端部５ｂと中指袋先端部６ｂとの間隔よりも大きく形成される結果、薬指袋７を中指袋６に対して折り曲げやすくなる。特に、前記指又とともに中指袋６と薬指袋７との屈曲性向上の効果を強め合い、薬指袋７を中指袋６に対して内側に折り曲げることができる。
【００３７】
また、先端ヒモ１０は１本からなるため、通常の締結方法（人差指袋５と中指袋６の間の締結方法）であれば、使用しているうちに中指袋６と薬指袋７との間隔は、徐々に拡大する。これに対して、中指袋６と薬指袋７との締結方法は、甲面側から掌面側（２重目の締結）又は掌面側から甲面側（１重目の締結）にねじれた状態で回して締結されるため、中指袋６と薬指袋７との間隔は常に一定の間隔に保たれ、グラブを使用していてもその間隔は広く形成されたままである。
【００３８】
続いて、薬指袋７と小指袋８との締結方法であるが、上述の人差指袋５と中指袋６との締結方法（従来の締結方法）と同様である。したがって、薬指袋７と小指袋８との先端部７ｂ８ｂにおける間隔は狭く、両者は結束して一体化する。
【００３９】
このように、人差指袋と中指袋の２本の指袋が結束することで、強い打球に対して力を強く働かせることができる。同様に、薬指袋と小指袋の２本の指袋が結束する。そして、中指袋と薬指袋との間は容易に曲げることができ、
以上より、親指の基端部に屈曲ヒモを挿通させることで、親指の第２関節を曲げやすくなる。また、中指袋と薬指袋との間に指又を設けることで、薬指、小指を掌面内側に湾曲しやすくなる。さらに、薬指袋と小指袋との先端ヒモの間隔を広めに設けることで、より薬指、小指を掌面内側に湾曲しやすくすることができる。その結果、グラブ全体が内側に曲がりやすくなり、捕球時において軽快なグラブさばきをすることができる。
【産業上の利用可能性】
【００４０】
本発明に係るグラブは、捕球動作を容易に行なうことができ、野球またはソフトボール用グラブ、ミット等の捕球具として有用である。
【図面の簡単な説明】
【００４１】
【図１】本実施形態の野球用グラブを掌面側から見た図。
【図２】本実施形態の野球用グラブを甲面側から見た図。
【図３】先端ヒモの締結方法を説明するための図。
【図４】従来の野球用グラブを掌面側から見た図。
【図５】従来の野球用グラブを甲面側から見た図。
【符号の説明】
【００４２】
１  野球用グラブ
３  指部
４  親指袋
４ａ  親指袋基端部
５  人指指袋
６  中指袋
６ａ  中指袋基端部
７  薬指袋
７ａ  薬指袋基端部
８  小指袋
１０  先端ヒモ
１４  屈曲ヒモ
１６  指又
【図１】
2008125931.tif 000003
【図２】
2008125931.tif 000004
【図３】
2008125931.tif 000005
【図４】
2008125931.tif 000006
【図５】
2008125931.tif 000007